(57)【要約】【課題】  回路規模を小さくし、部品のコストを削減すると共に、高精細画質での受信を可能とした「地上波ディジタル放送受信装置及び地上波ディジタル受信方法」を提供する。【解決手段】  モニタの数に対応した数のアンテナ１１，１２、チューナ１３，１４及びＯＦＤＭ復調部１５，１６を備え、複数のモニタで同じコンテンツを視聴する場合や一つのモニタのみでコンテンツを視聴する場合、複数のＯＦＤＭ復調部１５，１６から出力されるＴＳをダイバーシティ合成部１７で合成し、複数のモニタで異なるコンテンツを視聴する場合、複数のＯＦＤＭ復調部１５，１６から出力されるＴＳをダイバーシティ合成部１７で振り分け、対応するモニタへ出力するので、ダイバーシティ合成用の一組の回路を設けるだけで、複数のモニタに異なるコンテンツを映し出したり、一つのモニタに高精細画質のコンテンツを出力したりすることができる。【選択図】        図１
2005167890.tif 000002
【特許請求の範囲】
【請求項１】
所望のチャンネルの地上波ディジタル放送を受信してｎ個（ｎは１以上の整数）のモニタにコンテンツを出力する地上波ディジタル放送受信機であって、
地上波ディジタル放送の電波を受信するｎ個のアンテナと、
前記ｎ個のアンテナにそれぞれ接続されており、前記所望のチャンネルに合致する受信周波数を設定して、そのチャンネルの放送信号を受信するｎ個のチューナと、
前記ｎ個のチューナからの信号をそれぞれ入力し、ＯＦＤＭ復調するｎ個のＯＦＤＭ復調部と、
前記ｎ個のＯＦＤＭ復調部から入力されるトランスポートストリームをダイバーシティ合成するか、又は、そのまま通過させるダイバーシティ合成部と、
前記ｎ個のチューナに対して受信するチャンネルを設定し、前記ダイバーシティ合成部がダイバーシティ合成を行うか否かを制御する制御部とを備え、
前記ｎ個のモニタの中から一つのモニタのみにコンテンツを出力する場合、又は、前記ｎ個のモニタに同じチャンネルのコンテンツを出力する場合、前記制御部は、前記ｎ個のチューナを全て同じチャンネルに設定し、前記ダイバーシティ合成部が前記ｎ個のＯＦＤＭ復調部から出力されるトランスポートストリームをダイバーシティ合成するように制御すると共に、前記ｎ個のモニタに異なるチャンネルのコンテンツを出力する場合、前記制御部は、前記ｎ個のチューナをそれぞれ前記異なるチャンネルに設定し、前記ダイバーシティ合成部がダイバーシティ動作を停止して、前記ｎ個のＯＦＤＭ復調部から出力されるトランスポートストリームを前記ｎ個のモニタに対応させて出力するように制御することを特徴とする地上波ディジタル放送受信機。
【請求項２】
所望のチャンネルの地上波ディジタル放送を受信してｎ個（ｎは１以上の整数）のモニタにコンテンツを出力する地上波ディジタル放送受信機であって、
地上波ディジタル放送の電波を受信するｎ個のアンテナと、
前記ｎ個のアンテナにそれぞれ接続されており、前記所望のチャンネルに合致する受信周波数を設定して、そのチャンネルの放送信号を受信するｎ個のチューナと、
前記ｎ個のチューナからの信号をそれぞれ入力し、ＯＦＤＭ復調するｎ個のＯＦＤＭ復調部と、
前記ｎ個のＯＦＤＭ復調部から入力されるトランスポートストリームをダイバーシティ合成するダイバーシティ合成部と、
前記ｎ個のＯＦＤＭ復調部から出力されるトランスポートストリームを前記ダイバーシティ合成部へ出力するか否かを切り換える切り換え部と、
前記ｎ個のチューナに対して受信するチャンネルを設定し、前記切り換え部を制御する制御部とを備え、
前記ｎ個のモニタの中から一つのモニタのみにコンテンツを出力する場合、又は、前記ｎ個のモニタに同じチャンネルのコンテンツを出力する場合、前記制御部は、前記ｎ個のチューナを全て同じチャンネルに設定し、前記切り換え部が前記トランスポートストリームを前記ダイバーシティ合成部へ出力するように切り換え、前記ダイバーシティ合成部は、前記ｎ個のＯＦＤＭ復調部から出力されるトランスポートストリームをダイバーシティ合成すると共に、前記ｎ個のモニタに異なるチャンネルのコンテンツを出力する場合、前記制御部は、前記ｎ個のチューナをそれぞれ前記異なるチャンネルに設定し、前記切り換え部が前記トランスポートストリームを前記ダイバーシティ合成部へ出力しないように切り換え、前記切り換え部は、前記ｎ個のＯＦＤＭ復調部から出力されるトランスポートストリームを前記ｎ個のモニタに対応させて出力することを特徴とする地上波ディジタル放送受信機。
【請求項３】
前記ｎ個のＯＦＤＭ復調部は、受信する階層を弱階層又は強階層に切り換え可能であり、
前記ｎ個のモニタの中から一つのモニタのみにコンテンツを出力する場合、又は、前記ｎ個のモニタに同じチャンネルのコンテンツを出力する場合、前記制御部は、前記ｎ個のＯＦＤＭ復調部が受信する階層を弱階層とし、前記複数のモニタに異なるチャンネルのコンテンツを出力する場合、前記制御部は、前記ｎ個のＯＦＤＭ復調部が受信する階層を強階層とすることを特徴とする請求項１又は請求項２に記載の地上波ディジタル放送受信機。
【請求項４】
所望のチャンネルの地上波ディジタル放送を受信してｎ個（ｎは１以上の整数）のモニタにコンテンツを出力する地上波ディジタル放送受信方法であって、
前記ｎ個のモニタの中から一つのモニタのみにコンテンツを出力するか否かを調べる第１のステップと、
前記第１のステップにて、前記ｎ個のモニタの中から一つのモニタのみにコンテンツを出力すると判断した場合、ｎ個のチューナを全て同じチャンネルに設定し、前記ｎ個のチューナから出力される信号をｎ個のＯＦＤＭ復調部によってＯＦＤＭ復調し、これにより得られるトランスポートストリームをダイバーシティ合成する第２のステップと、
前記第１のステップにて、前記ｎ個のモニタにコンテンツを出力すると判断した場合、前記コンテンツが同じチャンネルのコンテンツであるか否かを調べる第３のステップと、
前記第３のステップにて、前記ｎ個のモニタに出力するコンテンツが同じチャンネルのコンテンツであると判断した場合、前記ｎ個のチューナから出力される信号を前記ｎ個のＯＦＤＭ復調部によってＯＦＤＭ復調し、これにより得られるトランスポートストリームをダイバーシティ合成する第４のステップと、
前記第３のステップにて、前記ｎ個のモニタに出力するコンテンツが異なるチャンネルのコンテンツであると判断した場合、前記ｎ個のチューナから出力される信号を前記ｎ個のＯＦＤＭ復調部によってＯＦＤＭ復調し、これにより得られるｎ個のトランスポートストリームを前記ｎ個のモニタに対応させて出力する第５のステップと、
を備えたことを特徴とする地上波ディジタル放送受信方法。
【請求項５】
前記第２のステップ及び前記第４のステップにて、前記ｎ個のＯＦＤＭ復調部が受信する階層を弱階層とし、前記第５のステップにて、前記ｎ個のＯＦＤＭ復調部が受信する階層を強階層とすることを特徴とする請求項４に記載の地上波ディジタル放送受信方法。
【発明の詳細な説明】
【技術分野】
【０００１】
本発明は、異なる２つ以上の地上波ディジタル放送を並列に受信する機能を有する地上波ディジタル放送受信機及び地上波ディジタル放送受信方法に関するものである。
【背景技術】
【０００２】
日本国内では、地上波テレビ放送のディジタル化が進められており、２０１１年には全国で地上波ディジタル放送が実施され、アナログ波を停波する予定となっている。地上波ディジタル放送では、一つのチャンネルを１３のセグメントに分割して放送されており、１３セグメントは最大３個の階層で構成されている。階層の呼称は、その階層が受信可能なＣ／Ｎ比（Carrier to Noise ratio：搬送波電力対雑音電力比）の高さにより、受信するのに最も低いＣ／Ｎ比を必要とする階層が強階層、次に高いＣ／Ｎ比を必要とする階層が中階層、最も低いＣ／Ｎ比を必要とする階層が弱階層と呼ばれている。地上波ディジタル放送では、セグメント単位で異なる変調方式を設定でき、これにより複数の番組を同一帯域内で異なるビットレートや誤り耐性で伝送することが可能となる。従って、固定受信向けのサービスと移動受信向け及び携帯受信向けのサービスとを同時に提供することができる。
【０００３】
そのため、地上波ディジタル放送では、マルチパス干渉に強い周波数分割多重方式の一つであるＯＦＤＭ（Orthogonal Frequency Division Multiplexing：直交周波数分割多重）を採用している。ＯＦＤＭは、周波数軸上に狭帯域の搬送波を複数並べ、各搬送波にデータを振り分けて伝送している。これにより、移動受信時にマルチパス干渉によって一部の搬送波の波形が乱れても、その周波数を使用して伝送するデータに誤りが発生するだけで、他の搬送波からのデータにより補正可能となる。
【０００４】
また、家庭向けのテレビ受信機等が高精細画質（例えばＨＤＴＶ）の受信を実現するために、地上波ディジタル放送では、１３セグメントのうちの１２セグメントを高精細画質の受信に使用し、高速にデータを伝送することが可能な６４値ＱＡＭ等の変調方式を採用している。一方、移動受信機や携帯受信機等の小型のアンテナしか装備できない受信機に対しては、安定した受信を実現するため簡易画質による放送を行い、１３セグメントのうちの１セグメントを使用して、ＱＰＳＫ等の変調方式を採用している。ここで、１２セグメントを使用して受信する場合には、弱階層の高いＣ／Ｎ比を必要とし、１セグメントを使用して受信する場合には、強階層の低いＣ／Ｎ比を必要とする。
【０００５】
しかしながら、移動受信機や携帯受信機等の受信機でも、ダイバーシティ受信技術を用いることで、１２セグメントの放送による高精細画質の地上波ディジタル放送のコンテンツの受信が可能となる。図５は、ダイバーシティ技術を採用した従来の地上波ディジタル放送受信機の構成例を示す図である。図５において、３５は第１のアンテナであり、３６は第２のアンテナである。第１のアンテナ３５及び第２のアンテナ３６は、地上波ディジタル放送の電波を受信する。
【０００６】
３７は第１のチューナであり、第１のアンテナ３５に接続されており、第１のアンテナ３５によって受信した地上波ディジタル放送の電波から所望のチャンネルに合致した受信周波数の信号を選択的に抽出して出力する。また、３８は第２のチューナであり、第２のアンテナ３６に接続されており、第２のアンテナ３６によって受信した地上波ディジタル放送の電波から所望のチャンネルに合致した受信周波数の信号を選択的に抽出して出力する。
【０００７】
３９は第１のＯＦＤＭ復調部であり、第１のチューナ３７で受信した信号をＯＦＤＭ復調してトランスポートストリーム（Transport Stream：以下ＴＳと記述する）を得る。４０は第２のＯＦＤＭ復調部であり、第２のチューナ３８で受信した信号をＯＦＤＭ復調してＴＳを得る。４１はダイバーシティ合成部であり、第１のＯＦＤＭ復調部３９から入力するＴＳの位相を制御する位相器４１ａと、位相を制御されたＴＳと第２のＯＦＤＭ復調部４０から入力するＴＳとを合成する合成器４１ｂとにより構成されている。
【０００８】
４２は誤り訂正部であり、伝送中に生じる誤りを訂正するためのものである。４３はデマルチプレクサ部であり、多重化されているＴＳを分離して映像ストリーム、音声ストリームを出力する。ここで、多重化されているＴＳには、映像ストリームや音声ストリーム以外にデータ放送用の情報ストリームが含まれる場合がある。４４はオーディオデコーダ部であり、入力した音声ストリームをデコードして音声として出力する。４５はビデオデコーダ部であり、入力した映像ストリームをデコードして映像として出力する。
【０００９】
４６は制御部であり、外部に設けたリモートコントローラ等（図示せず）の操作によって入力される制御信号により、第１のチューナ３７及び第２のチューナ３８が受信するチャンネルを決定し、このチャンネルに合致する受信周波数を設定する。また、制御部４６は、第１のチューナ３７及び第２のチューナ３８から受信状態等の情報を入力し、これを外部に出力する。更に、制御部４６は、第１のＯＦＤＭ復調部３９及び第２のＯＦＤＭ復調部４０が受信する階層を選択する処理も行う。ここで、１セグメントを使用して受信する場合には、受信階層は強階層が選択され、１２セグメントを使用して受信する場合には、受信階層は弱階層が選択される。
【００１０】
このように、第１のアンテナ３５、第２のアンテナ３６、第１のチューナ３７、第２のチューナ３８、第１のＯＦＤＭ復調部３９、第２のＯＦＤＭ復調部４０を備え、第１のＯＦＤＭ復調部３９及び第２のＯＦＤＭ復調部４０から出力されたＴＳをダイバーシティ合成部４１によりダイバーシティ合成することで、受信性能を向上させて、高精細画質の地上波ディジタル放送のコンテンツを受信することが可能となる。
【００１１】
また、車載用のモニタ等において、前部座席に対して映像を映し出すフロントモニタに加え、後部座席に対して映像を映し出すリアモニタを備えるリアエンターテイメントシステムが知られている。このようなリアエンターテイメントシステムは、一般的に図７に示すような構成となっている。
【００１２】
図７において、１は地上波ディジタル放送受信機であり、地上波ディジタル放送のコンテンツを受信すると共に、フロント用及びリア用の映像及び音声を出力する。２はナビゲーション装置であり、車両の現在位置近傍の地図データを記録媒体から読み出して画面上に表示し、画面上の所定箇所に自車位置を示す車両位置マークを重ね合わせて表示すると共に、所望の目的地に向かって道路を間違うことなく容易に走行できるようにした経路誘導機能を搭載している。このナビゲーション装置２は、表示内容及び音声による案内を映像及び音声により出力している。３はＤＶＤ再生装置であり、ＤＶＤビデオ等に記録された映像及び音声を出力する。
【００１３】
４はインターフェースボックスであり、前述した地上波ディジタル放送受信機１、ナビゲーション装置２及びＤＶＤ再生装置３からの映像出力及び音声出力を入力し、ユーザの選択等によって何れかの映像及び音声を出力する。５はフロントモニタであり、インターフェースボックス４から出力されるフロント用の映像及び音声を入力し、映像を表示して音声を出力する。６はリアモニタであり、インターフェースボックス４から出力されるリア用の映像及び音声を入力し、映像を表示して音声を出力する。ここで、フロントモニタ５及びリアモニタ６には、地上波ディジタル放送受信機１、ナビゲーション装置２、ＤＶＤ再生装置３等の中から何れかの映像及び音声を選択するソース選択部（図示せず）が設けられている。
【００１４】
このようなリアエンターテイメントシステムに適用される地上波ディジタル放送受信機は、図６に示すような構成となるのが一般的である。この図６に示す地上波ディジタル放送受信機は、フロントモニタ５及びリアモニタ６に対して地上波ディジタル放送の受信を行い、映像及び音声を出力するものである。図６において、５１は第１のアンテナ、５２は第２のアンテナ、５３は第３のアンテナ、５４は第４のアンテナであり、第１のアンテナ５１及び第２のアンテナ５２はフロントモニタ５用の受信に使用され、第３のアンテナ５３及び第４のアンテナ５４はリアモニタ６用の受信に使用される。
【００１５】
５５は第１のチューナであり、第１のアンテナ５１に接続されており、第１のアンテナ５１によって受信した地上波ディジタル放送の電波から所望のチャンネルに合致した受信周波数の信号を選択的に抽出して出力する。また、５６は第２のチューナであり、第２のアンテナ５２と接続されており、第２のアンテナ５２によって受信した地上波ディジタル放送の電波から所望のチャンネルに合致した受信周波数の信号を選択的に抽出して出力する。更に、５７は第３のチューナであり、第３のアンテナ５３と接続されており、第３のアンテナ５３によって受信した地上波ディジタル放送の電波から所望のチャンネルに合致した受信周波数の信号を選択的に抽出して出力する。更にまた、５８は第４のチューナであり、第４のアンテナ５４と接続されており、第４のアンテナ５４によって受信した地上波ディジタル放送の電波から所望のチャンネルに合致した受信周波数の信号を選択的に抽出して出力する。
【００１６】
５９は第１のＯＦＤＭ復調部であり、第１のチューナ５５で受信した信号をＯＦＤＭ復調しＴＳを得る。また、６０は第２のＯＦＤＭ復調部であり、第２のチューナ５６で受信した信号をＯＦＤＭ復調しＴＳを得る。更に、６１は第３のＯＦＤＭ復調部であり、第３のチューナ５７で受信した信号をＯＦＤＭ復調しＴＳを得る。更にまた、６２は第４のＯＦＤＭ復調部であり、第４のチューナ５８で受信した信号をＯＦＤＭ復調しＴＳを得る。
【００１７】
６３は第１のダイバーシティ合成部であり、第１のＯＦＤＭ復調部５９から入力するＴＳの位相を制御する位相器６３ａと、位相を制御されたＴＳと第２のＯＦＤＭ復調部６０から入力するＴＳとを合成する合成器６３ｂとにより構成されている。また、６４は第２のダイバーシティ合成部であり、第３のＯＦＤＭ復調部６１から入力するＴＳの位相を制御する位相器６４ａと、位相を制御されたＴＳと第４のＯＦＤＭ復調部６２から入力するＴＳとを合成する合成器６４ｂとにより構成されている。
【００１８】
６５は第１の誤り訂正部であり、第１のチューナ５５及び第２のチューナ５６によって受信される信号に対して、伝送中に生じる誤りを訂正するためのものである。６６は第２の誤り訂正部であり、第３のチューナ５７及び第４のチューナ５８によって受信される信号に対して、伝送中に生じる誤りを訂正するためのものである。
【００１９】
６７はデマルチプレクサ部であり、第１の誤り訂正部６５から入力するＴＳを分離して第１の映像ストリーム、第１の音声ストリームを出力すると共に、第２の誤り訂正部６６から入力するＴＳを分離して第２の映像ストリーム、第２の音声ストリームを出力する。６８は第１のオーディオデコーダ部であり、入力した第１の音声ストリームをデコードしてフロント音声として出力する。６９は第１のビデオデコーダ部であり、入力した第１の映像ストリームをデコードしてフロント映像として出力する。７０は第２のオーディオデコーダ部であり、入力した第２の音声ストリームをデコードしてリア音声として出力する。７１は第２のビデオデコーダ部であり、入力した第２の映像ストリームをデコードしてリア映像として出力する。
【００２０】
７２は制御部であり、外部に設けたリモートコントローラ等（図示せず）の操作によって入力される制御信号により、第１のチューナ５５〜第４のチューナ５８が受信するチャンネルを設定する。また、制御部７２は、第１のチューナ５５〜第４のチューナ５８から受信状態等の情報を入力し、これを外部に出力する。更に、制御部７２は、第１のＯＦＤＭ復調部５９〜第４のＯＦＤＭ復調部６２の受信階層を選択する。
【００２１】
フロントモニタ５において、あるチャンネルが選択されると、制御部７２は、第１のチューナ５５及び第２のチューナ５６を選択されたチャンネルに設定する。第１のチューナ５５及び第２のチューナ５６では、制御部７２からの制御信号により、選択されたチャンネルに合致する受信周波数に設定する。また、制御部７２は、第１のＯＦＤＭ復調部５９及び第２のＯＦＤＭ復調部６０の受信階層を同じ階層（例えば１２セグメントの弱階層）に設定する。そして、第１のＯＦＤＭ復調部５９及び第２のＯＦＤＭ復調部６０から出力されるＴＳを第１のダイバーシティ合成部６３にてダイバーシティ合成することにより、地上波ディジタル放送の高精細画質のコンテンツをフロントモニタ５にて視聴することができる。
【００２２】
一方、リアモニタ６において、あるチャンネルが選択されると、制御部７２は、第３のチューナ５７及び第４のチューナ５８を選択されたチャンネルに設定する。第３のチューナ５７及び第４のチューナ５８では、制御部７２からの制御信号により、選択されたチャンネルに合致する受信周波数に設定する。また、制御部７２は、第３のＯＦＤＭ復調部６１及び第４のＯＦＤＭ復調部６２の受信階層を同じ階層（例えば１２セグメントの弱階層）に設定する。そして、第３のＯＦＤＭ復調部６１及び第４のＯＦＤＭ復調部６２から出力されるＴＳを第２のダイバーシティ合成部６４にてダイバーシティ合成することにより、フロントモニタ５にて視聴されるコンテンツとは異なる高精細画質のコンテンツをリアモニタ６にて視聴することができる。
【００２３】
しかしながら、上述した地上波ディジタル放送受信機では、二つのモニタに対して四つのアンテナと四つのチューナと四つのＯＦＤＭ復調部が必要となり、ダイバーシティ合成部についてもモニタの数と同じ数にする必要がある。そのため、回路規模が大きくなると共に、部品のコストが増大して地上波ディジタル放送受信機が高価になってしまうという問題があった。
【００２４】
一方、一つのＴＶ受信装置に２画面を表示するような２画面ＴＶ受信装置において、複数のアンテナの中から受信状態の良いアンテナを選択して一方の画面の受信に使用し、残りのアンテナを使用してダイバーシティ受信を行う技術、及び、複数のアンテナを２画面の受信に割り当ててダイバーシティ受信を行う技術が知られている（例えば特許文献１）。
【特許文献１】特開平１１−２５２４７４号公報
【００２５】
しかしながら、特許文献１に記載の技術では、複数の画面を映し出すために、画面と同じ数のチューナに対して、それよりも多いアンテナが必要となるため、回路規模が大きくなると共に、部品のコストが増大して受信機が高価になってしまうという問題があった。また、ダイバーシティ合成を行わないので高精細画質での受信ができないという問題があった。
【発明の開示】
【発明が解決しようとする課題】
【００２６】
本発明は、このような問題を解決するために成されたものであり、複数のモニタに対してコンテンツを映し出す地上波ディジタル放送受信機において、高精細画質のコンテンツを視聴可能とするために必要な回路規模を小さくし、部品のコストを削減することを目的とする。
【課題を解決するための手段】
【００２７】
上記した課題を解決するために、本発明では、複数のモニタに対応した数のアンテナ、チューナ及びＯＦＤＭ復調部を備え、複数のモニタにて地上波ディジタル放送の同じコンテンツを視聴する場合、又は、複数のモニタの中から一つのモニタのみで地上波ディジタル放送のコンテンツを視聴する場合には、複数のＯＦＤＭ復調部から出力されるＴＳをダイバーシティ合成する。また、複数のモニタにて地上波ディジタル放送の異なるコンテンツを視聴する場合には、複数のＯＦＤＭ復調部から出力されるＴＳをそれぞれ対応するモニタへ出力するようにしている。
【発明の効果】
【００２８】
上記のように構成した本発明によれば、複数のモニタにて異なるコンテンツを視聴する場合、複数組設けたアンテナとチューナとＯＦＤＭ復調部とを、それぞれ複数のモニタに対応させて使用することにより、ダイバーシティ合成に使用する複数組のアンテナとチューナとＯＦＤＭ復調部とを複数のモニタ用の受信に利用することができる、これにより、アンテナとチューナとＯＦＤＭ復調部とダイバーシティ合成部の数を削減することができ、回路規模を小さくすることができると共に、部品のコストを削減することができる。また、複数のモニタのうち一つのモニタにてコンテンツを視聴する場合、又は、複数のモニタにて同じコンテンツを視聴する場合、複数組設けたアンテナとチューナとＯＦＤＭ復調部とをダイバーシティ合成に使用することにより、高精細画質のコンテンツの受信及びダイバーシティ合成を行うことができるので、高精細画質のコンテンツを視聴することができる。
【発明を実施するための最良の形態】
【００２９】
以下、本発明による実施形態を図面に基づいて説明する。図１は、本実施形態による地上波ディジタル放送受信機の構成例を示すブロック図である。図１において、１１は第１のアンテナであり、１２は第２のアンテナである。第１のアンテナ１１及び第２のアンテナ１２は、地上波ディジタル放送の電波を受信する。
【００３０】
１３は第１のチューナであり、第１のアンテナ１１に接続されており、第１のアンテナ１１によって受信した地上波ディジタル放送の電波から所望のチャンネルに合致した受信周波数の信号を選択的に抽出して出力する。１４は第２のチューナであり、第２のアンテナ１２に接続されており、第２のアンテナ１２によって受信した地上波ディジタル放送の電波から所望のチャンネルに合致した受信周波数の信号を選択的に抽出して出力する。
【００３１】
１５は第１のＯＦＤＭ復調部であり、第１のチューナ１３で受信した信号をＯＦＤＭ復調してＴＳを得る。また、１６は第２のＯＦＤＭ復調部であり、第２のチューナ１４で受信した信号をＯＦＤＭ復調してＴＳを得る。ここで、第１のＯＦＤＭ復調部１５及び第２のＯＦＤＭ復調部１６は、弱階層（例えば１２セグメント）の受信と強階層（例えば１セグメント）の受信とを切り換えることが可能である。
【００３２】
１７はダイバーシティ合成部であり、位相器１７ａと合成器１７ｂとスイッチ１７ｃとにより構成されている。スイッチ１７ｃが（１）側にあるとき、ダイバーシティ合成部１７は、第１のＯＦＤＭ復調部１５から入力するＴＳの位相を位相器１７ａにより制御し、この位相制御されたＴＳと第２のＯＦＤＭ復調部１６から入力するＴＳとを合成器１７ｂにより合成する。そして、合成されたＴＳを後述する第１の誤り訂正部１８へ出力する。ここで、第１のチューナ１３及び第２のチューナ１４の受信周波数は同じ周波数となっている。
【００３３】
一方、スイッチ１７ｃが（２）側にあるとき、ダイバーシティ合成部１７は、第１のＯＦＤＭ復調部１５から入力するＴＳを後述する第１の誤り訂正部１８へそのまま出力し、第２のＯＦＤＭ復調部１６から入力するＴＳを後述する第２の誤り訂正部１９へ出力する。ここで、第１のチューナ１３及び第２のチューナ１４の受信周波数は異なる周波数となっている。
【００３４】
１８は第１の誤り訂正部であり、ダイバーシティ合成部１７のスイッチ１７ｃが（１）側にあるとき、ダイバーシティ合成部１７にて合成されたＴＳに対して誤りを訂正する。また、第1の誤り訂正部１８は、ダイバーシティ合成部１７のスイッチ１７ｃが（２）側にあるとき、ダイバーシティ合成部１７にて第1のＯＦＤＭ復調部１５から入力したＴＳをそのまま入力し、誤りを訂正する。１９は第２の誤り訂正部であり、ダイバーシティ合成部１７のスイッチ１７ｃが（２）側にあるとき、第２のＯＦＤＭ復調部１６から出力されるＴＳに対して、誤りを訂正するためのものである。
【００３５】
２０はデマルチプレクサ部であり、ダイバーシティ合成部１７のスイッチ１７ｃが（１）側にあるとき、第１の誤り訂正部１８から入力するＴＳを分離して、第１の映像ストリーム及び第１の音声ストリームを得て、これを出力する。また、デマルチプレクサ部２０は、ダイバーシティ合成部１７のスイッチ１７ｃが（２）側にあるとき、第1の誤り訂正部１８から入力するＴＳを分離して、第２の映像ストリーム及び第２の音声ストリームを得て、これを出力する。また、第２の誤り訂正部１９から入力するＴＳを分離して、第３の映像ストリーム及び第３の音声ストリームを得て、これを出力する。
【００３６】
２１は第１のオーディオデコーダ部であり、ユーザによって指定されたチャンネルに合致する音声ストリームをデコードしてフロント音声として出力する。例えば、ダイバーシティ合成部１７のスイッチ１７ｃが（１）側にあるとき、第１のオーディオデコーダ部２１は、第１の音声ストリームをデコードしてフロント音声として出力する。また、ダイバーシティ合成部１７のスイッチ１７ｃが（２）側にあるとき、第１のオーディオデコーダ部２１は、第２の音声ストリームをデコードしてフロント音声として出力する。
【００３７】
２２は第１のビデオデコーダ部であり、ユーザによって指定されたチャンネルに合致する映像ストリームをデコードしてフロント映像として出力する。例えば、ダイバーシティ合成部１７のスイッチ１７ｃが（１）側にあるとき、第１のビデオデコーダ部２２は、第１の映像ストリームをデコードしてフロント映像として出力する。また、ダイバーシティ合成部１７のスイッチ１７ｃが（２）側にあるとき、第１のビデオデコーダ部２２は、第２の映像ストリームをデコードしてフロント映像として出力する。
【００３８】
２３は第２のオーディオデコーダ部であり、ユーザによって指定されたチャンネルに合致する音声ストリームをデコードしてリア音声として出力する。例えば、ダイバーシティ合成部１７のスイッチ１７ｃが（１）側にあるとき、第２のオーディオデコーダ部２３は、第１の音声ストリームをデコードしてリア音声として出力する。また、ダイバーシティ合成部１７のスイッチ１７ｃが（２）側にあるとき、第２のオーディオデコーダ部２３は、第３の音声ストリームをデコードしてリア音声として出力する。
【００３９】
２４は第２のビデオデコーダ部であり、ユーザによって指定されたチャンネルに合致する映像ストリームをデコードしてリア映像として出力する。例えば、ダイバーシティ合成部１７のスイッチ１７ｃが（１）側にあるとき、第２のビデオデコーダ部２４は、第１の映像ストリームをデコードしてリア映像として出力する。また、ダイバーシティ合成部１７のスイッチ１７ｃが（２）側にあるとき、第２のビデオデコーダ部２４は、第３の映像ストリームをデコードしてリア映像として出力する。
【００４０】
２５は制御部であり、外部に設けたリモートコントローラ等（図示せず）の操作によって入力される制御信号により、第１のチューナ１３及び第２のチューナ１４が受信するチャンネルを設定する。また、制御部２５は、第１のチューナ１３及び第２のチューナ１４から受信状態等の情報を入力し、これを外部に出力する。更に、制御部２５は、第１のＯＦＤＭ復調部１５及び第２のＯＦＤＭ復調部１６の受信階層を選択する。以上のように構成した本実施形態の地上波ディジタル放送受信機は、例えば図７に示すリアエンターテイメントシステムの地上波ディジタル放送受信機１として実施される。
【００４１】
図２は、本実施形態による地上波ディジタル放送受信機の動作及び地上波ディジタル放送受信方法を示すフローチャートである。まず、制御部２５は、フロントモニタ５又はフロントモニタ５用のリモートコントローラに設けたソース選択部（図示せず）にて地上波ディジタル放送の受信が選択されたかを調べる（ステップＳ１）。フロントモニタ５において、地上波ディジタル放送の受信が選択されず、ナビゲーション装置２やＤＶＤ再生装置３からの信号が選択されたり、何も選択されなかったりすると（ステップＳ１にてＮＯ）、制御部２５は、リアモニタ６又はリアモニタ６用のリモートコントローラに設けたソース選択部（図示せず）にて地上波ディジタル放送の受信が選択されたかを調べる（ステップＳ２）。
【００４２】
リアモニタ６において、地上波ディジタル放送の受信が選択されず、ナビゲーション装置２やＤＶＤ再生装置３からの信号が選択されたり、何も選択されなかったりすると（ステップＳ２にてＮＯ）、ステップＳ１の処理に戻る。
【００４３】
ステップ２において、リアモニタ６又はリアモニタ６用のリモートコントローラに設けたソース選択部（図示せず）にて地上波ディジタル放送の受信が選択された場合（ステップＳ２にてＹＥＳ）、制御部２５は、リアモニタ６又はリアモニタ６用のリモートコントローラに設けたチャンネル選択部（図示せず）により選択されたチャンネルに合致する周波数に第１のチューナ１３及び第２のチューナ１４の受信周波数を設定し、第１のＯＦＤＭ復調部１５及び第２のＯＦＤＭ復調部１６の受信階層を弱階層（例えば１２セグメント）の受信に切り換え、ダイバーシティ合成部１７のスイッチ部１７ｃを（１）側に切り換える。
【００４４】
そして、第１のＯＦＤＭ復調部１５から入力するＴＳの位相を位相器１７ａにより制御し、この位相制御されたＴＳと第２のＯＦＤＭ復調部１６から入力するＴＳとを合成器１７ｂにより合成する。これにより、合成されたＴＳは、第１の誤り訂正部１９により誤り訂正されると共に、デマルチプレクサ２０によって音声ストリーム及び映像ストリームに分離される。分離された音声ストリーム及び映像ストリームは、第２のオーディオデコーダ部２３及び第２のビデオデコーダ部２４にてデコードされ、リアモニタ６に出力される（ステップＳ３）。そして、ステップＳ１の処理に戻る。
【００４５】
一方、フロントモニタ５又はフロントモニタ５用のリモートコントローラに設けたソース選択部（図示せず）にて地上波ディジタル放送の受信が選択された場合（ステップＳ１にてＹＥＳ）、リアモニタ６又はリアモニタ６用のリモートコントローラに設けたソース選択部（図示せず）にて地上波ディジタル放送の受信が選択されたかを調べる（ステップＳ４）。
【００４６】
リアモニタ６又はリアモニタ６用のリモートコントローラに設けたソース選択部（図示せず）にて地上波ディジタル放送の受信が選択されず、ナビゲーション装置２やＤＶＤ再生装置３からの信号が選択されたり、何も選択されなかったりすると（ステップＳ４にてＮＯ）、制御部２５は、フロントモニタ５又はフロントモニタ５用のリモートコントローラに設けたチャンネル選択部（図示せず）により選択されたチャンネルに合致する周波数に第１のチューナ１３及び第２のチューナ１４の受信周波数を設定し、第１のＯＦＤＭ復調部１５及び第２のＯＦＤＭ復調部１６の受信階層を弱階層（例えば１２セグメント）の受信に切り換え、ダイバーシティ合成部１７のスイッチ部１７ｃを（１）側に切り換える。
【００４７】
そして、ダイバーシティ合成部１７は、第１のＯＦＤＭ復調部１５から入力するＴＳの位相を位相器１７ａにより制御し、この位相制御されたＴＳと第２のＯＦＤＭ復調部１６から入力するＴＳとを合成器１７ｂにより合成する。これにより、合成されたＴＳは、第１の誤り訂正部１９により誤り訂正されると共に、デマルチプレクサ２０により音声ストリーム及び映像ストリームに分離される。分離された音声ストリーム及び映像ストリームは、第１のオーディオデコーダ部２１及び第１のビデオデコーダ部２２にてデコードされ、フロントモニタ５に出力される（ステップＳ５）。そして、ステップＳ１の処理に戻る。
【００４８】
一方、リアモニタ６又はリアモニタ６用のリモートコントローラに設けたソース選択部（図示せず）にて地上波ディジタル放送の受信が選択されると（ステップＳ４にてＹＥＳ）、フロントモニタ５又はフロントモニタ５用に設けたチャンネル選択部（図示せず）、及び、リアモニタ６又はリアモニタ６用に設けたチャンネル選択部（図示せず）によって選択された地上波ディジタル放送のチャンネルが異なるチャンネルであるかを調べる（ステップＳ６）。
【００４９】
ここで、両者が選択したチャンネルが同じである場合（ステップＳ６にてＮＯ）、制御部２５は、両者により選択されたチャンネルに合致する周波数に第１のチューナ１３及び第２のチューナ１４の受信周波数を設定し、第１のＯＦＤＭ復調部１５及び第２のＯＦＤＭ復調部１６の受信階層を弱階層（例えば１２セグメント）の受信に切り換え、ダイバーシティ合成部１７のスイッチ部１７ｃを（１）側に切り換える。
【００５０】
そして、ダイバーシティ合成部１７は、第１のＯＦＤＭ復調部１５から入力するＴＳの位相を位相器１７ａにより制御し、この位相制御されたＴＳと第２のＯＦＤＭ復調部１６から入力するＴＳとを合成器１７ｂにより合成する。これにより、合成されたＴＳは、第１の誤り訂正部１９により誤り訂正されると共に、デマルチプレクサ２０により音声ストリーム及び映像ストリームに分離される。分離された音声ストリーム及び映像ストリームは、第１のオーディオデコーダ部２１及び第１のビデオデコーダ部２２にてデコードされ、フロントモニタ５に出力されると共に、第２のオーディオデコーダ部２３及び第２のビデオデコーダ部２４にてデコードされ、リアモニタ６に出力される（ステップＳ７）。そして、ステップＳ１の処理に戻る。
【００５１】
フロントモニタ５又はフロントモニタ５用のリモートコントローラに設けたチャンネル選択部（図示せず）、及び、リアモニタ６又はリアモニタ６用のリモートコントローラに設けたチャンネル選択部（図示せず）によって選択された地上波ディジタル放送のチャンネルが異なるチャンネルである場合（ステップＳ６にてＹＥＳ）、制御部２５は、フロントモニタ５又はフロントモニタ５用のリモートコントローラに設けたチャンネル選択部（図示せず）により選択されたチャンネルに合致する周波数に第１のチューナ１３の受信周波数を設定し、リアモニタ６又はリアモニタ６用のリモートコントローラに設けたチャンネル選択部（図示せず）により選択されたチャンネルに合致する周波数に第２のチューナ１４の受信周波数を設定する。また、制御部２５は、第１のＯＦＤＭ復調部１５及び第２のＯＦＤＭ復調部１６の受信階層を強階層（例えば１セグメント）の受信に切り換える。更に、制御部２５は、ダイバーシティ合成部１７の位相器１７ａ及び合成器１７ｂの動作を停止し、スイッチ部１７ｃを（２）側に切り換える（ステップＳ８）。
【００５２】
ダイバーシティ合成部１７は、第１のＯＦＤＭ復調部１５から入力するＴＳを第１の誤り訂正部１８へ出力すると共に、第２のＯＦＤＭ復調部１６から入力するＴＳを第２の誤り訂正部１９へ出力する（ステップＳ９）。
【００５３】
第１の誤り訂正部１８へ入力されたＴＳは誤り訂正され、デマルチプレクサ２０へ出力される。デマルチプレクサ２０は、第1の誤り訂正部１８より入力したＴＳを第１の音声ストリーム及び第１の映像ストリームに分離する。そして、第１の音声ストリームを第１のオーディオデコーダ部２１へ出力し、第１の映像ストリームを第1のビデオデコーダ部２２へ出力する。また、デマルチプレクサ２０は、第２の誤り訂正部１９より入力したＴＳを第２の音声ストリーム及び第２の映像ストリームに分離する。そして、第２の音声ストリームを第２のオーディオデコーダ部２３へ出力し、第２の映像ストリームを第２のビデオデコーダ部２４へ出力する。
【００５４】
第１のオーディオデコーダ部２１は、第１の音声ストリームをデコードし、フロント音声として出力する。また、第１のビデオデコーダ部２２は、第１の映像ストリームをデコードし、フロント映像として出力する。更に、第２のオーディオでコーダ部２３は、第２の音声ストリームをデコードし、リア音声として出力する。更にまた、第２のビデオデコーダ部２４は、第２の映像ストリームをデコードし、リア映像として出力する（ステップＳ１０）。
【００５５】
以上詳しく説明したように、本実施形態によれば、フロントモニタ５及びリアモニタ６にて異なる地上波ディジタル放送のコンテンツを視聴する場合、第１のアンテナ１１と第１のチューナ１３と第１のＯＦＤＭ復調部１５とをフロントモニタ５に対応させて使用し、第２のアンテナ１２と第２のチューナ１４と第２のＯＦＤＭ復調部１６とをリアモニタ６に対応させて使用し、第１のＯＦＤＭ復調部１５及び第２のＯＦＤＭ復調部１６の受信階層を強階層に切り換える。これにより、ダイバーシティ合成に使用する一組の第１のアンテナ１１、第２のアンテナ１２、第１のチューナ１３、第２のチューナ１４、第１のＯＦＤＭ復調部１５、第２のＯＦＤＭ復調部１６、ダイバーシティ合成部１７を用いて、異なる地上波ディジタル放送のコンテンツを受信し、それぞれをフロントモニタ５及びリアモニタ６で視聴することができる。
【００５６】
また、本実施形態によれば、フロントモニタ５又はリアモニタ６の何れか一方にて地上波ディジタル放送のコンテンツを視聴する場合、又は、フロントモニタ５及びリアモニタ６にて同じ地上波ディジタルのコンテンツを視聴する場合、第１のＯＦＤＭ復調部１５及び第２のＯＦＤＭ復調部１６の受信階層を弱階層に切り換え、第１のＯＦＤＭ復調部１５から出力されるＴＳと、第２のＯＦＤＭ復調部１６から出力されるＴＳとをダイバーシティ合成部１７に入力してダイバーシティ合成することにより、高精細画質の地上波ディジタル放送のコンテンツを受信することができる。
【００５７】
つまり、本実施形態によれば、ダイバーシティ合成に使用する一組の回路（第１のアンテナ１１〜ダイバーシティ合成部１７）だけで、フロント用及びリア用に異なるコンテンツを受信することも可能であるし、高精細画質のコンテンツを受信することも可能である。従って、回路規模を小さくすることができ、部品のコストも低減することができる。
【００５８】
なお、前記実施形態では、ダイバーシティ合成を行うか否かの切り換えを、ダイバーシティ合成部１７のスイッチ部１７ｃを（１）側又は（２）側に切り換えることによって行っているが、これに限定されない。例えば、第１のＯＦＤＭ復調部１５及び第２のＯＦＤＭ復調部１６からダイバーシティ合成部１７に入力するＴＳを切り換える手段を別途設けても良い。
【００５９】
例えば図３に示すように、第１のＯＦＤＭ復調部１５及び第２のＯＦＤＭ復調部１６の後段に切り換え部２９及びダイバーシティ合成を行うダイバーシティ合成部３０を設ける。そして、フロントモニタ５又はリアモニタ６の何れか一方で地上波ディジタル放送の受信が選択された場合、又は、フロントモニタ５及びリアモニタ６の両方で同じチャンネルの受信が選択された場合には、切り換え部２９のスイッチを（１）側にして、ダイバーシティ合成部３０の位相器３０ａ及び合成器３０ｂによりダイバーシティ合成を行う。また、フロントモニタ５及びリアモニタ６にて異なるチャンネルの受信が選択された場合には、切り換え部２９のスイッチを（２）側にして、ダイバーシティ合成部３０にＴＳが入力しないようにし、第１のＯＦＤＭ復調部１５からのＴＳを第１の誤り訂正部１８に出力し、第２のＯＦＤＭ復調部１６からのＴＳを第２の誤り訂正部１９に出力する。これにより、ダイバーシティ合成部２７の位相器２７ａ及び合成器２７ｂの動作を制御する必要がなくなる。
【００６０】
また、前記実施形態では、フロントモニタ５及びリアモニタ６の二つのモニタに対する地上波ディジタル放送受信機について説明したが、モニタの数や設置場所はこれに限定されない。例えば、図４に示すように、三つのモニタを設置する場合には、前記図１の構成に加えて、第３のアンテナ２６、第３のチューナ２７、第３のＯＦＤＭ復調部２８、切り換え部２９、第３の誤り訂正部３１、第３のオーディオデコーダ部３２、第３のビデオデコーダ部３３を用意する。また、ダイバーシティ合成部１７の代わりにダイバーシティ合成部３０を用いる。
【００６１】
そして、三つのモニタで同じチャンネルを視聴する場合、又は三つのモニタのうちの一つのモニタのみで視聴する場合には、第１のチューナ１３、第２のチューナ１４及び第３のチューナ２７の受信周波数を同じ周波数とし、第１のＯＦＤＭ復調部１５、第２のＯＦＤＭ復調部１６及び第３のＯＦＤＭ復調部２８の受信階層を弱階層とする。そして、切り換え部２９のスイッチ２９ａを（２）側に、スイッチ２９ｂを（１）側に、スイッチ２９ｃを（１）側とする。
【００６２】
ダイバーシティ合成部３０は、第１のＯＦＤＭ復調部１５から切り換え部２９を介して入力するＴＳの位相及び第２のＯＦＤＭ復調部１６から切り換え部２９を介して入力するＴＳの位相を位相器３０ａ，３０ｂにより制御し、これらの位相制御されたＴＳと第３のＯＦＤＭ復調部２８から出力されるＴＳとを合成器３０ｃにてダイバーシティ合成する。そして、ダイバーシティ合成されたＴＳを第１の誤り訂正部１８にて誤り訂正し、そのＴＳをデマルチプレクサ２０にて音声ストリームと映像ストリームとに分離した後、各ストリームをデコードして三つのモニタ又は何れか一つのモニタに出力する。
【００６３】
また、三つのモニタで異なるチャンネルを視聴する場合には、三つのチューナ１３，１４，２７の受信周波数をそれぞれ選択されたチャンネルの周波数とし、第１のＯＦＤＭ復調部１５、第２のＯＦＤＭ復調部１６及び第３のＯＦＤＭ復調部２８の受信階層を強階層とする。そして、切り換え部２９のスイッチ２９ａを（１）側に、スイッチ２９ｂを（２）側に、スイッチ２９ｃを（２）側とする。
【００６４】
第１のＯＦＤＭ復調部１５、第２のＯＦＤＭ復調部１６、第３のＯＦＤＭ復調部２８の出力は、切り換え部２９を介して第１の誤り訂正部１８、第２の誤り訂正部１９及び第３の誤り訂正部３１にそれぞれ入力し、誤り訂正される。誤り訂正されたＴＳは、デマルチプレクサ２０にて音声ストリームと映像ストリームとに分離された後、各デコーダ２１〜２４，３２，３３に出力される。そして、第１のオーディオデコーダ部２１にてデコードされた音声及び第１のビデオデコーダ部２２にてデコードされた映像が第１のモニタ用に出力される。また、第２のオーディオでコーダ部２３にてデコードされた音声及び第２のビデオデコーダ部２４にてデコードされた映像が第２のモニタ用に出力される。更に、第３のオーディオデコーダ部３２にてデコードされた音声及び第３のビデオデコーダ部３３にてデコードされた映像が第３のモニタ用に出力される。
【００６５】
更に、三つのモニタのうちの二つのモニタで同じチャンネルを視聴する場合、又は三つのモニタのうちの二つのモニタのみで視聴を行い、二つのモニタで異なるチャンネルを視聴する場合には、一方のチャンネルを視聴するために（例えば高精細画質のチャンネル）、第１のチューナ１３及び第３のチューナ２７の受信周波数を同じ周波数とし、第１のＯＦＤＭ復調部１５、第３のＯＦＤＭ復調部２８の受信階層を弱階層とする。そして、切り換え部２９のスイッチ２９ａを（２）側に、スイッチ２９ｂを（２）側に、スイッチ２９ｃを（１）側とする。
【００６６】
ダイバーシティ合成部３０は、第１のＯＦＤＭ復調部１５から切り換え部２９を介して入力するＴＳの位相を位相器３０ａにより制御し、この位相制御されたＴＳと第３のＯＦＤＭ復調部２８からの出力されるＴＳとを合成器３０ｃにてダイバーシティ合成する。そして、ダイバーシティ合成されたＴＳを第１の誤り訂正部１８にて誤り訂正し、そのＴＳをデマルチプレクサ２０にて音声ストリームと映像ストリームとに分離した後、各ストリームをデコードして三つのモニタのうちの二つのモニタの両方又は一方のモニタに出力する。
【００６７】
また、他方のチャンネルを視聴するために第２のアンテナ１２及び第２のチューナ１４を使用し、第２のＯＦＤＭ復調部１６の受信階層を強階層とする。第２のＯＦＤＭ復調部１６の出力は、切り換え部２９を介して第２の誤り訂正部１９に入力し、誤り訂正される。誤り訂正されたＴＳは、デマルチプレクサ２０にて音声ストリームと映像ストリームとに分離された後、前記一方のチャンネルを視聴するモニタ以外に接続されたデコーダに出力される。そして、デコードされた音声及び映像が他方のチャンネルを視聴するためのモニタに出力される。これにより、複数のモニタを使用する場合でも、視聴するチャンネルや画質を種々の組み合わせとすることができる。
【００６８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００６９】
本発明は、異なったコンテンツを複数のモニタに出力すると共に、高精細画質のコンテンツを少なくとも一つ以上のモニタに出力する地上波ディジタル放送受信機に有用である。
【図面の簡単な説明】
【００７０】
【図１】本実施形態による地上波ディジタル放送受信機の構成例を示すブロック図である。
【図２】本実施形態による地上波ディジタル放送受信機の動作及び地上波ディジタル放送受信方法を示すフローチャートである。
【図３】本実施形態による地上波ディジタル放送受信機のダイバーシティ合成部の変形例を示す図である。
【図４】本実施形態による地上波ディジタル放送受信機の変形例を示すブロック図である。
【図５】従来の地上波ディジタル放送受信機の構成例を示すブロック図である。
【図６】従来の地上波ディジタル放送受信機の他の構成例を示すブロック図である。
【図７】地上波ディジタル放送受信機を適用したリアエンターテイメントシステムの構成例を示すブロック図である。
【符号の説明】
【００７１】
１    地上波ディジタル放送受信機
２    ナビゲーション装置
３    ＤＶＤ再生装置
４    インターフェースボックス
５    フロントモニタ
６    リアモニタ
１１    第１のアンテナ
１２    第２のアンテナ
１３    第１のチューナ
１４    第２のチューナ
１５    第１のＯＦＤＭ復調部
１６    第２のＯＦＤＭ復調部
１７    ダイバーシティ合成部
１７ａ    位相器
１７ｂ    合成器
１８    第１の誤り訂正部
１９    第２の誤り訂正部
２０    デマルチプレクサ
２１    第１のオーディオデコーダ部
２２    第１のビデオデコーダ部
２３    第２のオーディオデコーダ部
２４    第２のビデオデコーダ部
２５    制御部
【図１】
2005167890.tif 000003
【図２】
2005167890.tif 000004
【図３】
2005167890.tif 000005
【図４】
2005167890.tif 000006
【図５】
2005167890.tif 000007
【図６】
2005167890.tif 000008
【図７】
2005167890.tif 000009